(57)【要約】【課題】光源と光入射面との間の距離を規制すると共に光の利用効率をより高くする。【解決手段】列状に並ぶ複数のＬＥＤ３２と、複数のＬＥＤ３２と対向すると共に複数のＬＥＤ３２から出射された光が入射する光入射面５１と、光入射面５１から入射された光が出射される光出射面５３と、を有する導光板５０と、複数のＬＥＤ３２が配されると共に複数のＬＥＤ３２の並び方向に沿って延びる長手状の基板本体部３３と、基板本体部３３の長手方向の一端部から光入射面５１側に突出され、その突出端３９がＬＥＤ３２における光入射面５１側の面よりも光入射面５１に近い側に配される突出部３４と、を有するＬＥＤ基板３１と、を備えることに特徴を有する。【選択図】図３
2019153505.tif 000002
【特許請求の範囲】
【請求項１】
列状に並ぶ複数の光源と、
前記複数の光源と対向すると共に前記複数の光源から出射された光が入射する光入射面と、前記光入射面から入射された光が出射される光出射面と、を有する導光板と、
前記複数の光源が配されると共に前記複数の光源の並び方向に沿って延びる長手状の基板本体部と、前記基板本体部の長手方向の一端部から前記光入射面側に突出され、その突出端が前記光源における前記光入射面側の面よりも前記光入射面に近い側に配される突出部と、を有する光源基板と、を備える照明装置。
【請求項２】
前記突出部は、前記光源を前記基板本体部の長手方向の一端側から覆う板状をなしており、
前記基板本体部の短辺方向において、前記突出部の長さが前記光源の長さよりも大きい値で設定されている請求項１に記載の照明装置。
【請求項３】
前記複数の光源、前記導光板、及び前記光源基板を収容する収容部材を備え、
前記基板本体部には、前記収容部材の外部に延びる延設部が設けられている請求項１又は請求項２に記載の照明装置。
【請求項４】
請求項１から請求項３のいずれか１項に記載の照明装置と、
前記照明装置から照射される光を利用して画像を表示する表示パネルと、を備える表示装置。
【請求項５】
請求項４に記載の表示装置を備えるテレビ受信装置。
【発明の詳細な説明】
【技術分野】
【０００１】
本発明は、照明装置、表示装置、及びテレビ受信装置に関する。
【背景技術】
【０００２】
従来、照明装置として、導光板の光入射面と対向する形で光源が配されたものが知られている（下記特許文献１）。下記特許文献１では、光源が実装された光源基板の一部が導光板側に突出された規制部とされ、その規制部が導光板に当接することで、光源と導光板との距離を規制する構成となっている。これにより、熱膨張等によって導光板の光入射面が光源側へ移動した場合において、導光板の光入射面が光源と当接することが防止される。
【先行技術文献】
【特許文献】
【０００３】
【特許文献１】国際公開第２０１２／１２８０７６号
【発明の概要】
【発明が解決しようとする課題】
【０００４】
上記特許文献１では、規制部が光源基板の上端部の全長に亘って設けられている。このような構成では、各光源からの出射光が規制部によって遮られ、光入射面に入射することが妨げられることで、光の利用効率が低下してしまう。
【０００５】
本発明は上記のような事情に基づいて完成されたものであって、光源と光入射面との間の距離を規制すると共に光の利用効率をより高くすることを目的とする。
【課題を解決するための手段】
【０００６】
上記課題を解決するために、本発明の照明装置は、列状に並ぶ複数の光源と、前記複数の光源と対向すると共に前記複数の光源から出射された光が入射する光入射面と、前記光入射面から入射された光が出射される光出射面と、を有する導光板と、前記複数の光源が配されると共に前記複数の光源の並び方向に沿って延びる長手状の基板本体部と、前記基板本体部の長手方向の一端部から前記光入射面側に突出され、その突出端が前記光源における前記光入射面側の面よりも前記光入射面に近い側に配される突出部と、を有する光源基板と、を備えることに特徴を有する。
【０００７】
上記構成によれば、導光板が膨張した場合、突出部に光入射面が当接することで、光源と光入射面との間の距離を規制することができる。これにより、光入射面が光源に接触して光源が損傷する事態や、光源から発生する熱によって導光板が溶融する事態を抑制することができる。また、上記構成では、光源基板の一部を突出部にすることで部品点数の増加を抑制することができる。仮に突出部が基板本体部の短辺方向の端部に沿って延びている場合には、突出部が複数の光源の出射光を遮ってしまい、出射光が光入射面に入ることを妨げる事態が懸念される。上記構成では、突出部は、基板本体部の長手方向の一端部に設けられている。このようにすれば、突出部によって複数の光源からの出射光が遮られる事態を抑制することができ、光の利用効率をより高くすることができる。
【発明の効果】
【０００８】
本発明によれば、光源と光入射面との間の距離を規制すると共に光の利用効率をより高くすることができる。
【図面の簡単な説明】
【０００９】
【図１】本発明の実施形態１に係るテレビ受信装置の概略構成を示す分解斜視図
【図２】液晶表示装置の概略構成を示す分解斜視図
【図３】液晶表示装置の断面図（図１のＩＩＩ−ＩＩＩ線で切断した図に対応）
【図４】バックライト装置を示す平面図
【図５】実施形態２に係る液晶表示装置の断面図
【図６】実施形態３に係る液晶表示装置の断面図
【図７】実施形態３に係るバックライト装置を示す平面図
【発明を実施するための形態】
【００１０】
＜実施形態１＞
本発明の実施形態１を図１から図４によって説明する。本実施形態では、表示装置としてテレビ受信装置１０が備える液晶表示装置１１を例示する。なお、各図面の一部にはＸ軸、Ｙ軸及びＺ軸を示しており、各軸方向が各図面で示した方向となるように描かれている。また、図３に示す上側が表側であり、図３に示す下側が裏側である。テレビ受信装置１０は、図１に示すように、液晶表示装置１１と、液晶表示装置１１を挟むようにして収容する表裏両側のキャビネット１２，１３と、電源１４と、チューナー１５と、スタンド１６と、を備える。液晶表示装置１１（表示装置）は、全体として横長の方形（矩形状、長手状）をなし、縦置き状態で収容されている。つまり、液晶表示装置１１は、その短辺方向が鉛直方向に沿う起立姿勢で配されている。なお、本実施形態では、Ｙ軸方向が鉛直方向及び液晶表示装置１１の短辺方向と一致している。
【００１１】
液晶表示装置１１は、図２に示すように、表示パネルである液晶パネル１７と、外部光源であるバックライト装置１８（照明装置）と、を備え、これらが枠状のベゼル１９により一体的に保持されるようになっている。液晶パネル１７は、バックライト装置１８から照射される光を利用して画像を表示することが可能となっている。液晶パネル１７は、図２に示すように、平面視において横長の方形状（矩形状）をなしており、透光性に優れた一対のガラス製の基板（アレイ基板及びＣＦ基板）が所定のギャップを隔てた状態で貼り合わせられるとともに、両基板間に液晶が封入された構成とされる。アレイ基板には、互いに直交するソース配線とゲート配線とに接続されたスイッチング素子（例えばＴＦＴ）と、そのスイッチング素子に接続された画素電極、さらには配向膜等が設けられ、ＣＦ基板には、Ｒ（赤色），Ｇ（緑色），Ｂ（青色）等の各着色部が所定配列で配置されたカラーフィルタや対向電極、さらには配向膜等が設けられている。この液晶パネル１７は、画面中央側にあって画像が表示可能な表示領域と、画面外周端側にあって表示領域の周りを取り囲む枠状（額縁状）をなす非表示領域とに区分されている。なお、一対の基板の外面側には、表裏一対の偏光板がそれぞれ貼り付けられている。
【００１２】
バックライト装置１８は、図２に示すように、表側（光出射側、液晶パネル１７側）に向けて開口する光出射部２０を有した略箱型をなすシャーシ２１と、シャーシ２１の光出射部２０を覆うようにして配される光学部材２２と、一対のＬＥＤユニット３０，３０と、一対のＬＥＤユニット３０，３０からの光をそれぞれ導光して光学部材２２（ひいては液晶パネル１７）へと導く導光板５０と、導光板５０及び光学部材２２を表側から押さえるフレーム２６（押さえ部材）と、を備える。ＬＥＤユニット３０，３０は、それぞれＬＥＤ基板３１（光源基板）と、複数のＬＥＤ３２（Light Emitting Diode：発光ダイオード）と、を備える。バックライト装置１８は、その長辺側の両端部に、ＬＥＤユニット３０，３０がそれぞれ配されるとともに、一対のＬＥＤユニット３０，３０間に導光板５０が挟まれている、いわゆるエッジライト型（サイドライト型）とされている。なお、バックライト装置１８において、長辺側の一端部のみにＬＥＤユニット３０が配されていてもよいし、短辺側にＬＥＤユニット３０が配されていてもよい。以下の説明では、バックライト装置１８の各構成部品について詳しく説明する。
【００１３】
シャーシ２１（収容部材）は、例えばアルミニウム板や電気亜鉛めっき綱板（ＳＥＣＣ）などの金属板からなり、図２に示すように、平面視において液晶パネル１７と同様に横長の方形状をなすとともに、短辺方向がＹ軸方向（鉛直方向）と一致している。シャーシ２１は、横長の方形状をなす底板２３と、底板２３における長辺側及び短辺側の各外端からそれぞれ立ち上がる側板２４とを有している。４つの側板２４のうち、長辺側に配される一対の側板２４，２４に沿ってＬＥＤ基板３１，３１がそれぞれ配されている。各側板２４には、フレーム２６及びベゼル１９がねじ止めされている。シャーシ２１内には、一対のＬＥＤユニット３０，３０及び導光板５０が収容されている。
【００１４】
光学部材２２は、図２に示すように、液晶パネル１７と同様に平面視において横長の方形状をなしている。光学部材２２は、導光板５０の表側（光出射側）に載せられており、導光板５０からの出射光を透過するとともにその透過光に所定の光学作用を付与しつつ液晶パネル１７に向けて出射させる。光学部材２２は、互いに積層される複数枚（本実施形態では３枚）のシート状の部材からなるものとされる。具体的な光学部材２２（光学シート）の種類としては、例えば拡散シート、レンズシート、反射型偏光シートなどがあり、これらの中から適宜に選択して使用することが可能である。フレーム２６は、図２に示すように、導光板５０の外周端部に沿って延在する枠状（額縁状）に形成されており、導光板５０の外周端部をほぼ全周にわたって表側から押さえることが可能とされる。このフレーム２６は、例えば合成樹脂製とされるとともに、表面が例えば黒色を呈する形態とされることで、遮光性を有するものとされる。フレーム２６は、液晶パネル１７における外周縁部を裏側から受けることができる。
【００１５】
導光板５０は、屈折率が空気よりも十分に高く且つほぼ透明な（透光性に優れた）合成樹脂材料（例えばＰＭＭＡなどのアクリル樹脂やポリカーボネートなど）からなる。導光板５０は、図２に示すように、液晶パネル１７及びシャーシ２１と同様に平面視にて横長の方形状をなしている。導光板５０の長辺方向がＸ軸方向と、短辺方向がＹ軸方向とそれぞれ一致し、板面と直交する板厚方向がＺ軸方向と一致している。導光板５０は、図２及び図３に示すように、一対の光入射面５１，５１と、表側の板面（一方の板面）である光出射面５３と、を有している。光入射面５１は、長辺側の端面であり、ＬＥＤユニット３０（より詳しくはＬＥＤユニット３０を構成するＬＥＤ３２の光出射面３５）と対向する面からなり、ＬＥＤユニット３０の各ＬＥＤ３２から出射された光が入射する面である。ＬＥＤユニット３０が備える複数のＬＥＤ３２（光源）は、光入射面５１に沿って等間隔で並ぶものとされる。導光板５０は、一対の光入射面５１，５１から入射された光を内部で伝播させつつ光学部材２２側（表側）へ向くように立ち上げて光出射面５３から出射させる機能を有する。
【００１６】
導光板５０における裏側の板面５４には、図３に示すように、その板面５４から導光板５０外部に出射した光を表側に反射させることが可能な光反射シート５５がそのほぼ全域を覆う形で設けられている。光反射シート５５は、シャーシ２１の底板２３と導光板５０との間に挟まれた形で配されている。また、導光板５０における板面５４（他方の板面）には、導光板５０内に入射した光を光出射面５３に向けて反射させることで光出射面５３からの出射を促す光反射部（図示せず）が形成されている。光反射部は、複数のドットによって構成され、導光板５０内に入射した光のうち板面５４に達した光を散乱させつつ光出射面５３側に反射させることが可能とされる。これにより、光反射部にて散乱反射されて光出射面５３に向かう光には、光出射面５３に対する入射角が臨界角を超えない光（全反射を破る光）が生じる。これにより、光を光出射面５３から外部へと出射させることが可能となっている。
【００１７】
ＬＥＤユニット３０のＬＥＤ３２は、ＬＥＤ基板３１に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、ＬＥＤ３２の構成は上記したものに限定されない。このＬＥＤ３２は、ＬＥＤ基板３１に対する実装面とは反対側の面が光出射面３５となる、いわゆる頂面発光型とされている。
【００１８】
ＬＥＤ基板３１は、図２に示すように、シャーシ２１の長辺方向に沿って延在する細長い板状をなすとともに、板面と直交する板厚方向がＹ軸方向と一致した姿勢で配されている。ＬＥＤ基板３１の基材に用いる材料としては、例えば金属や合成樹脂材料（具体的には紙フェノールまたはガラスエポキシ樹脂など）を用いることが可能である。また、シャーシ２１の内面に沿う形で放熱板３６が配されている。放熱板３６は、放熱性に優れた金属製とされ、シャーシ２１の底板２３に固定された底板部３７と、底板部３７のＹ軸方向における端縁から表側に立ち上がる側板部３８と、を備える。ＬＥＤ基板３１は、放熱板３６の側板部３８に取り付けられている。つまり、放熱板３６は、ＬＥＤ基板３１を支持する支持部材の機能を有している。
【００１９】
ＬＥＤ基板３１は、基板本体部３３と、一対の突出部３４，３４と、を備え、正面視（図４参照）において導光板５０側に開口された略Ｕ字状をなしている。基板本体部３３は、複数のＬＥＤ３２が列状に並ぶ形で配されると共に複数のＬＥＤ３２の並び方向に沿って延びる長手状をなしている。ＬＥＤ３２は、基板本体部３３の実装面において、その長さ方向（Ｘ軸方向）に沿って複数個が所定の配置間隔を空けつつ一列に並ぶ形で配されている。突出部３４は、図４に示すように、基板本体部３３の長手方向の両端部の各々に設けられている。突出部３４は、ＬＥＤ基板３１を構成する基材の一端部を折り曲げることで形成されており、基板本体部３３に対して直角に曲げられている。突出部３４は、図３及び図４に示すように、基板本体部３３の長手方向の一端部から光入射面５１側に突出されている。突出部３４の突出端３９（図３参照）はＬＥＤ３２における光入射面５１側の面（光出射面５３）よりも光入射面５１に近い側に配されている。
【００２０】
突出部３４は、ＬＥＤ３２を基板本体部３３の長手方向の一端側から覆う板状をなしており、基板本体部３３の短辺方向（Ｚ軸方向、図３の上下方向）において、突出部３４の長さＬ１（板幅）がＬＥＤ３２の長さＬ２よりも大きい値で設定されている。突出部３４の突出端３９は、光入射面５１に対してＺ軸方向（基板本体部３３の短辺方向）の全長に亘って当接されている。また、図４に示すように、突出部３４は、ＬＥＤ３２の配光範囲Ａ１の外に配されている。図４では、複数のＬＥＤ３２のうち、両端側に配されるＬＥＤ３２の配光範囲Ａ１の一例を一点鎖線で示している。なお、ＬＥＤ基板３１の表面には、例えば、白色を呈する反射層（図示せず）が形成されている。この反射層によりＬＥＤ３２から出射されてＬＥＤ基板３１側に戻された光を反射することが可能とされる。
【００２１】
また、図４に示すように、シャーシ２１の４つの側板２４のうち、短辺側に配される一対の側板２４，２４と導光板５０の間には、スペーサ部材２７がそれぞれ配されている。スペーサ部材２７によって導光板５０はＸ軸方向について位置決めされている。また、導光板５０は、一対のＬＥＤ基板３１，３１によってＹ軸方向について位置決めされている。
【００２２】
次に本実施形態の効果について説明する。本実施形態によれば、導光板５０が膨張した場合、突出部３４に光入射面５１が当接することで、ＬＥＤ３２と光入射面５１との間の距離を規制することができる。これにより、光入射面５１がＬＥＤ３２に接触してＬＥＤ３２が損傷する事態や、ＬＥＤ３２から発生する熱によって導光板５０が溶融する事態を抑制することができる。また、上記構成では、ＬＥＤ基板３１の一部を突出部３４にすることで部品点数の増加を抑制することができる。また、仮に基板本体部３３の短辺方向の端部に沿って延びる突出部１３４（図３の２点鎖線で示す）を備える場合には、このような突出部１３４は複数のＬＥＤ３２の出射光を遮ってしまい、出射光が光入射面５１に入ることを妨げる事態が懸念される。上記構成では、突出部３４は、基板本体部３３の長手方向の一端部及び他端部に設けられている。このようにすれば、突出部３４によって複数のＬＥＤ３２からの出射光が遮られる事態を抑制することができ、光の利用効率をより高くすることができる。
【００２３】
また、本実施形態では、突出部３４は、ＬＥＤ３２を基板本体部３３の長手方向の一端側から覆う板状をなしており、基板本体部３３の短辺方向において、突出部３４の長さがＬＥＤ３２の長さよりも大きい値で設定されている。このような構成とすれば、突出部３４によってＬＥＤ３２を基板本体部３３の長手方向の一端側から確実に覆うことができる。これにより、ＬＥＤ３２からの出射光がＬＥＤ基板３１の長手方向における外側に漏れる事態を抑制できる。また、突出部３４の突出端３９は、光入射面５１に対して基板本体部３３の短辺方向の全長に亘って当接されている。このような構成とすれば、突出部３４と光入射面５１の間に隙間が生じる事態を抑制でき、その隙間からＬＥＤ３２からの出射光がＬＥＤ基板３１の長手方向における外側に漏れる事態を抑制できる。
【００２４】
また、本実施形態では、突出部３４が基板本体部３３の長手方向の両端部の各々に設けられている。一対の突出部３４，３４が光入射面５１に当接することで、基板本体部３３の全長に亘って、複数のＬＥＤ３２と導光板５０との間の距離をより確実に規制することができる。また、突出部３４は、ＬＥＤ３２の配光範囲Ａ１の外に配されている。突出部３４によってＬＥＤ３２からの出射光が遮られる事態をより確実に抑制することができる。
【００２５】
また、本実施形態では、光入射面５１は、導光板５０の端面によって構成され、光出射面５３は、導光板５０の板面によって構成されている。導光板５０が熱膨張した場合には、板厚方向に比して板面方向が膨張し易い。このため、光入射面５１が導光板５０の端面によって構成されている場合には、熱膨張による光入射面５１の変位量が大きくなり易い。上記構成では、ＬＥＤ３２と導光板５０との間の距離を規制することができるため、好適である。
【００２６】
＜実施形態２＞
次に、本発明の実施形態２を図５によって説明する。上記実施形態と同一部分には、同一符号を付して重複する説明を省略する。本実施形態のバックライト装置２１８では、ＬＥＤ基板２３１の構成が上記実施形態と相違する。図５に示すように、基板本体部３３における短辺方向の一端（図５の下端）には、シャーシ２１の外部に延びる延設部２３９が設けられている。延設部２３９は、シャーシ２１（収容部材）に形成された貫通孔２２１に挿通されており、延設部２３９の一部２４０がシャーシ２１の外部に配されている。シャーシ２１の外面には、放熱板２３６が取り付けられている。延設部２３９の一部２４０はシャーシ２１の底板２３の板面に沿って延びており、放熱板２３６に接触する形で配されている。このような構成とすれば、ＬＥＤ３２の駆動に伴って発生する熱を基板本体部３３及び延設部２３９を介してシャーシ２１の外部に放熱することができ、導光板５０の熱膨張を抑制することができる。
【００２７】
＜実施形態３＞
次に、本発明の実施形態３を図６及び図７によって説明する。上記実施形態と同一部分には、同一符号を付して重複する説明を省略する。本実施形態のバックライト装置３１８においては、導光板３５０の構成が上記実施形態と相違する。本実施形態の導光板３５０において、光出射面３５３は、導光板３５０における表側の面によって構成され、光入射面３５１は、図６及び図７に示すように、導光板３５０において光出射面３５３とは反対側の板面の周端部によって構成されている。ＬＥＤユニット３３０は、シャーシ３２１の底板３２３に形成された凹部３２４に収容されている。ＬＥＤユニット３３０が備えるＬＥＤ３２は、その光出射面３５が表側を向く形で配されている。光出射面３５は、光入射面３５１と対向配置されている。光出射面３５から出射された光は、光入射面３５１から導光板３５０内に入射された後、主に導光板３５０の傾斜面３５４において反射された後、導光板３５０内部で伝播される構成となっている。
【００２８】
ＬＥＤ基板３１の突出部３４は、図７に示すように、基板本体部３４の長手方向における両端部にそれぞれ設けられ、基板本体部３３から光入射面３５１に向かって突出されている。突出部３４は、その先端において光入射面３５１に当接されている。本実施形態では、導光板３５０が熱によって板厚方向に膨張した場合において、突出部３４に光入射面３５１が当接することで、ＬＥＤ３２と導光板３５０との間の距離を規制することができる。また、導光板３５０が板厚方向について撓んだ場合においても、ＬＥＤ３２と導光板３５０との間の距離を規制することができる。
【００２９】
＜他の実施形態＞
本発明は上記記述及び図面によって説明した実施形態に限定されるものではなく、例えば次のような実施形態も本発明の技術的範囲に含まれる。
（１）上記した実施形態では、表示パネルとして液晶パネルを用いた液晶表示装置を例示したが、他の種類の表示パネルを用いた表示装置にも本発明は適用可能である。
（２）上記実施形態では、光源としてＬＥＤを用いたものを示したが、有機ＥＬなどを用いることも可能である。
（３）上記実施形態では、ＬＥＤ基板の突出部と導光板の光入射面とが当接されている構成を例示したが、これに限定されない。突出部と導光板の光入射面との間に隙間が設けられていてもよい。
【符号の説明】
【００３０】
１０…テレビ受信装置、１１…液晶表示装置（表示装置）、１７…液晶パネル（表示パネル）、１８…バックライト装置（照明装置）、２１，３２１…シャーシ（収容部材）、３１，２３１…ＬＥＤ基板（光源基板）、３２…ＬＥＤ（光源）、３３…基板本体部、３４…突出部、３５…光出射面（光源における光入射面側の面）、５０，３５０…導光板、５１，３５１…光入射面、５３，３５３…光出射面、２３９…延設部
【図１】
2019153505.tif 000003
【図２】
2019153505.tif 000004
【図３】
2019153505.tif 000005
【図４】
2019153505.tif 000006
【図５】
2019153505.tif 000007
【図６】
2019153505.tif 000008
【図７】
2019153505.tif 000009